(57)【要約】【課題】  下がり防止部材が倒れるのを規制し、貫通口が開くことを防止できる建具の提供。【解決手段】  パネル２と、下枠１または下框からなるパネル支持部材１と、下がり防止部材３とを備え、パネル支持部材１は、パネル取付溝４を有し、下がり防止部材３は、パネル取付溝４内に設けてあって、上面がパネル２の下端に当接又は近接しており、パネル支持部材１又は下がり防止部材３の一方又は両方に下がり防止部材３の倒れを規制する倒れ防止部５を有する。【選択図】      図１
2020012232.tif 000002
【特許請求の範囲】
【請求項１】
パネルと、下枠または下框からなるパネル支持部材と、下がり防止部材とを備え、パネル支持部材は、パネル取付溝を有し、下がり防止部材は、パネル取付溝内に設けてあって、上面がパネルの下端に当接又は近接しており、パネル支持部材又は下がり防止部材の一方又は両方に下がり防止部材の倒れを規制する倒れ防止部を有することを特徴とする建具。
【発明の詳細な説明】
【技術分野】
【０００１】
本発明は、防火性能を有する建具に関する。
【背景技術】
【０００２】
嵌め殺し窓の下枠や障子の下框のパネル取付溝内には、パネルの下がりを防止する下がり防止部材が設けられている。従来の下がり防止部材は、単なる角パイプ状のものであったため、火災時に下枠や下框が変形したり、発泡した加熱発泡材に押されたりすることにより、下がり防止部材が倒れることがあり、それに伴ってパネルが落下して貫通口が開いてしまうおそれがあった。
【発明の概要】
【発明が解決しようとする課題】
【０００３】
本発明は以上に述べた実情に鑑み、下がり防止部材が倒れるのを規制し、貫通口が開くことを防止できる建具の提供を目的とする。
【課題を解決するための手段】
【０００４】
上記の課題を達成するために請求項１記載の発明による建具は、パネルと、下枠または下框からなるパネル支持部材と、下がり防止部材とを備え、パネル支持部材は、パネル取付溝を有し、下がり防止部材は、パネル取付溝内に設けてあって、上面がパネルの下端に当接又は近接しており、パネル支持部材又は下がり防止部材の一方又は両方に下がり防止部材の倒れを規制する倒れ防止部を有することを特徴とする。
【発明の効果】
【０００５】
請求項１記載の発明による建具は、下枠または下框からなるパネル支持部材のパネル取付溝内に下がり防止部材が設けてあり、下がり防止部材は上面がパネルの下端に当接又は近接しており、パネル支持部材又は下がり防止部材の一方又は両方に下がり防止部材の倒れを規制する倒れ防止部を有することで、火災時にパネル支持部材が変形したり、発泡した加熱発泡材に押されたりしても、下がり防止部材の倒れを規制でき、貫通口が開くことを防止できる。
【図面の簡単な説明】
【０００６】
【図１】本発明の建具の第１実施形態を示す縦断面図である。
【図２】同建具の横断面図である。
【図３】同建具の室外側正面図である。
【図４】同建具における下がり防止部材、セッティングブロック及びつぶれ防止部品の配置を示す室外側正面図である。
【図５】火災時における下枠部の縦断面図である。
【図６】本発明の建具の第２実施形態を示す縦断面図である。
【図７】同建具における下がり防止部材及びつぶれ防止部品の配置を示す室外側正面図である。
【図８】本発明の建具の比較例を示す縦断面図である。
【図９】同建具における下がり防止部材、セッティングブロック及びつぶれ防止部品の配置を示す室外側正面図である。
【図１０】つぶれ防止部品の他の実施形態を示す縦断面図である。
【発明を実施するための形態】
【０００７】
以下、本発明の実施の形態を図面に基づいて説明する。図１〜４は、本発明の建具の第１実施形態であって、防火対応の嵌め殺し窓に適用した例を示している。本建具は、躯体開口部に取付けられる枠６と、枠６内に納めたガラスパネル２を備える。
枠６は、図１〜３に示すように、アルミニウム合金の押出形材よりなる上枠７と下枠１と左右の縦枠８，８とを枠組みして構成してある。枠６は、内周側が開口したパネル取付溝４を有し、ガラスパネル２は周縁部を枠６のパネル取付溝４に呑み込ませ、シール材９で固定してある。
【０００８】
下枠１は、図１に示すように、内周側が開口したパネル取付溝４を有し、パネル取付溝４の室外側及び室内側の開口縁部には、シール材９の受け部１０ａとバックアップ材１１の受け部１０ｂが形成してある。パネル取付溝４の室外側の壁１２の室内側面と、パネル取付溝４の室内側の壁１３の室外側面には、火災の熱で発泡・膨張する加熱発泡材１４，１５が下枠１の長手方向に沿って設けてある。上枠７と縦枠８のパネル取付溝４内にも、加熱発泡材３６が長手方向に沿って設けてある。
【０００９】
下枠１のパネル取付溝４内には、図１，４に示すように、左右２箇所にセッティングブロック１６，１６が設けてあり、左右のセッティングブロック１６，１６の内側に隣接して下がり防止部材３，３がそれぞれ設けてある。セッティングブロック１６は、ＥＰＤＭ（エチレンプロピレンゴム）で形成した直方体のブロック状のもので、ガラスパネル２の下端を受けてガラスパネル２の重量を下枠１に伝えている。
下がり防止部材３は、火災時にセッティングブロック１６が溶融・軟化したとしても、ガラスパネル２が下がらないように設けられるものであり、アルミニウム合金の押出形材で形成してあり、図１に示すように、矩形断面の中空状の本体部１７と、本体部１７の室内側の壁の上部より室内側に向けてのびるＬ形断面の倒れ防止部５を有している。本体部１７は、上面がガラスパネル２の下端に近接しており、倒れ防止部５はバックアップ材１１の受け部１０ｂの室内側に沿わせて設けてある。セッティングブロック１６と下がり防止部材３は、パネル取付溝４の底壁１９に両面テープで接着してある。
【００１０】
下枠１は、図１に示すように、パネル取付溝４の下方位置に室外側が開放した凹部１８を有している。パネル取付溝４の底壁１９には、左右両端より１００ｍｍ程度内側に入った位置に水抜き孔２０が設けてある。
凹部１８内には、つぶれ防止部品２１が保持してあり、つぶれ防止部品２１は下枠１の長手方向全長に設けられており、セッティングブロック１６及び下がり防止部材３の下方に位置している。つぶれ防止部品２１は、アルミニウム合金の押出形材で形成したものであり、垂直な外壁２２及び内壁２３と、それらを繋ぐ横壁２４とを有している。外壁２２は、凹部１８の室外側で凹部１８の上壁（パネル取付溝の底壁）１９と下壁２５にわたって設けてある。内壁２３は、凹部１８の起立壁２６の室外側に当接している。横壁２４には、パネル取付溝４の底壁１９の水抜き孔２０から左右方向にずれた位置、例えば左右両端より５０ｍｍ程度内側に入った位置に水抜き孔２７が設けてあり、外壁２２には長手方向の両端部の下部に排水用の切欠き２８が設けてある。したがって、パネル取付溝４内に浸入した雨水は、図１中に矢印２９で示すように、パネル取付溝４の底壁１９の水抜き孔２０とつぶれ防止部品２１の横壁２４の水抜き孔２７と外壁２２の切欠き２８を通じて屋外に排水される。つぶれ防止部品２１は、外壁２２の上端部が凹部１８の上壁（パネル取付溝の底壁）１９の室外側端部に形成された垂下片３０に係止し、且つ図３に示すように左右の縦枠８，８に両側から挟み込まれることで、凹部１８内で動かないように保持されている。
【００１１】
図５は、火災時における下枠１部の状態を示している。火災が発生すると、同図に示すように、パネル取付溝４の室外側の壁１２の室内側に取付けた加熱発泡材１４が火災の熱で発泡して室内側に向けて膨張し、下がり防止部材３を押す。下がり防止部材３は、膨張した加熱発泡材１４に押されることで倒れようとするが、倒れ防止部５が下枠１の上壁３１の内側に係止することで、下がり防止部材３の倒れを規制できる。よって、火災時にも下がり防止部材３によりガラスパネル２の下がりを防いだ状態が維持され、ガラスパネル２が下がってガラスパネル２の上端と上枠７との間に貫通口が開くことを防止できる。なお、図５では、下がり防止部材３の状態を見やすくするために、パネル取付溝４内の室内側の加熱発泡材１５を省略している。
また本建具は、下枠１のパネル取付溝４の下方位置に室外側が開放した凹部１８を有し、凹部１８の起立壁２６がガラスパネル２の真下より室内側に位置しているため、火災時に下枠１が熱せられることで強度が低下すると、そのままではガラスパネル２の重量によって凹部１８がつぶれて下枠１が室外側におじぎするような形で変形し、それに伴ってガラスパネル２が下がり、上枠７側に貫通口が開くおそれがあるが、凹部１８内につぶれ防止部品２１が設けてあり、つぶれ防止部品２１がガラスパネル２の重量を負担することで、そのような下枠１の変形を防止でき、ガラスパネル２が下がって貫通口ができることを防止できる。
【００１２】
以上に述べたように本建具は、パネル支持部材（下枠１）のパネル取付溝４内に下がり防止部材３が設けてあり、下がり防止部材３は上面がガラスパネル２の下端に当接又は近接しており、パネル支持部材１又は下がり防止部材３の一方又は両方に下がり防止部材３の倒れを規制する倒れ防止部５を有することで、火災時にパネル支持部材１が変形したり、発泡した加熱発泡材１４に押されたりしても、下がり防止部材３の倒れを規制でき、貫通口が開くことを防止できる。
パネル支持部材１または下がり防止部材３は相手方に当接または係合している（実施形態のものは、下がり防止部材３の倒れ防止部５が下枠１に係合している）ことで、下がり防止部材３の倒れを確実に防止できる。
【００１３】
本建具は、下枠１にパネル取付溝４と、パネル取付溝４の下方位置に室外側が開放した凹部１８を有し、パネル取付溝４内にパネル受け部品（セッティングブロック１６及び下がり防止部材３）が設けてあり、凹部１８内につぶれ防止部品２１が保持してあり、つぶれ防止部品２１がパネル受け部品１６，３の下に位置していることで、つぶれ防止部品２１がガラスパネル２の重量を受けるため、火災時に凹部１８がつぶれて下枠１が室外側におじぎするような形で変形するのを防ぐことができるので、ガラスパネル２の下がりを防止して防火性能を確保できる。
また本建具は、パネル取付溝４の底壁１９に凹部１８に通ずる水抜き孔２０が設けてあるので、パネル取付溝４内に浸入した雨水を屋外に排水できる。
つぶれ防止部品２１は、凹部１８の室外側で凹部１８の上壁（パネル取付溝の底壁）１９と下壁２５にわたって設けた外壁２２を有しているので、凹部１８がつぶれるように変形するのを確実に防止できる。
さらに本建具は、パネル受け部品（下がり防止部材３）が金属製であるため、火災時にパネル取付溝４内でガラスパネル２が下がることを防止できる。
【００１４】
図６，７は、本発明の建具の第２実施形態を示している。本実施形態の建具は、下枠のパネル取付溝４内に下がり防止部材３が左側と中央と右側の３箇所に設けてあり、左右の下がり防止部材３は、本体部の上面にＥＰＤＭのシート３２を貼ることで、セッティングブロックとして用いている。
本実施形態の建具は、第１実施形態と同様に、下がり防止部材３の倒れを防止でき、ガラスパネル２が下がって貫通口ができるのを防止できる。セッティングブロックを別に設ける必要がないため、構造が簡略化される。
【００１５】
図８，９は、本発明の建具の比較例を示している。下がり防止部材３は、倒れ防止部５を有しない角パイプ状のものとしてある。つぶれ防止部品２１は、ピース状で下がり防止部材３の真下にのみ設けてあり、ネジ３３で下枠１に固定してある。
本比較例の建具も、火災時に下枠１の変形を防止し、ガラスパネル２が下がって貫通口が開くのを防止できる。つぶれ防止部品２１に水抜き孔や切欠きを形成する必要がない。
【００１６】
図１０は、つぶれ防止部品２１の他の実施形態を示している。図１０（ａ）のつぶれ防止部品２１は、外壁２２と内壁２３と上壁３４と下壁３５とを有する中空状としてある。図１０（ｂ）のつぶれ防止部品２１は、外壁２２と内壁２３と上壁３４とを有する下側が開放したコ字形断面となっている。図１０（ｃ）のつぶれ防止部品２１は、外壁２２と内壁２３と下壁３５とを有する上側が開放したコ字形断面となっている。
これらのつぶれ防止部品２１は、図１等に示すＨ形断面のものと同様に、下枠１の変形を防止する効果がある。Ｈ形断面のつぶれ防止部品２１は、下枠１との接触面積が小さいため、凹部１８に小口からスライドして挿入する際に挿入しやすい。
【００１７】
本発明は以上に述べた実施形態に限定されない。パネル支持部材の断面形状、材質は、任意である。倒れ防止部は、パネル支持部材から下がり防止部材に当接または係合するように設けることもできる。また、パネル支持部材と下がり防止部材の両方に倒れ防止部を設けることもできる。下がり防止部材の取付位置や個数は特に限定されるものではない。つぶれ防止部品は、省略することもできる。パネル支持部材は、下框であってもよい。パネルの材質、構造は問わない。本発明は、嵌め殺し窓に限らず、パネル取付溝内にパネルを取付けるあらゆる建具に適用することができる。
【符号の説明】
【００１８】
１  下枠（パネル支持部材）
２  ガラスパネル（パネル）
３  下がり防止部材
４  パネル取付溝
５  倒れ防止部
【図１】
2020012232.tif 000003
【図２】
2020012232.tif 000004
【図３】
2020012232.tif 000005
【図４】
2020012232.tif 000006
【図５】
2020012232.tif 000007
【図６】
2020012232.tif 000008
【図７】
2020012232.tif 000009
【図８】
2020012232.tif 000010
【図９】
2020012232.tif 000011
【図１０】
2020012232.tif 000012